(57)【要約】【課題】操作性を向上させる。【解決手段】塗布容器１０は、容器本体１１と、中栓部材１３と、計量筒部材１５と、塗布栓１６と、オーバーキャップ１８と、を備え、塗布栓１６には、連通孔を通した容器本体１１内と計量室１４との連通およびその遮断を切り替える計量弁が設けられ、塗布栓１６は、オーバーキャップ１８が計量筒部材１５に装着された状態で、計量弁により容器本体１１内と計量室１４とが連通された計量位置と、オーバーキャップ１８が計量筒部材１５から離脱されて計量位置よりも前側に位置した状態で、計量弁により容器本体１１内と計量室１４との連通が遮断された計量完了位置と、の間を容器軸Ｏ方向に移動自在に配設され、オーバーキャップ１８には、前側を向く接地部３９が設けられている。【選択図】図３
2016141426.tif 000002
【特許請求の範囲】
【請求項１】
被塗布部に塗布する内容物が収容される容器本体と、
前記容器本体の口部に装着され、前記容器本体内に連通する連通孔が形成された中栓部材と、
前記中栓部材との間に、前記連通孔を通して前記容器本体内に連通する計量室を形成するとともに、頂部に前記計量室に連通する吐出孔が形成された計量筒部材と、
前記計量室内に設けられ、先端が前記吐出孔から外部に突出可能な塗布栓と、
前記計量筒部材に着脱自在に装着されて前記吐出孔を閉塞し、前記計量筒部材からの離脱に伴って、前記塗布栓を、容器軸方向に沿う前記計量筒部材の頂部側である前側に移動させるオーバーキャップと、を備え、
前記塗布栓には、前記連通孔を通した前記容器本体内と前記計量室との連通およびその遮断を切り替える計量弁が設けられ、
前記塗布栓は、
前記オーバーキャップが前記計量筒部材に装着された状態で、前記計量弁により前記容器本体内と前記計量室とが連通された計量位置と、
前記オーバーキャップが前記計量筒部材から離脱されて前記計量位置よりも前側に位置した状態で、前記計量弁により前記容器本体内と前記計量室との連通が遮断された計量完了位置と、の間を容器軸方向に移動自在に配設され、
前記オーバーキャップには、前側を向く接地部が設けられていることを特徴とする塗布容器。
【請求項２】
前記塗布栓を前側に向けて付勢する付勢部材を備え、
前記塗布栓には、前記計量室と前記吐出孔との連通およびその遮断を切り替える吐出弁が設けられ、
前記計量完了位置として、
前記塗布栓が前記付勢部材により前進端にまで前進させられて前記吐出孔から突出し、前記吐出弁により前記計量室と前記吐出孔との連通が遮断された待機位置と、
前記待機位置の前記塗布栓が前記付勢部材の付勢力に抗して後退させられ、前記吐出弁により前記計量室と前記吐出孔とが連通された塗布位置と、が設けられていることを特徴とする請求項１記載の塗布容器。
【請求項３】
請求項１記載の塗布容器を用いて、前記計量室内に内容物を計量する方法であって、
前記計量筒部材に装着され前記塗布栓を前記計量位置に位置させている前記オーバーキャップの前記接地部を接地させ、前記容器本体内の内容物を前記計量室内に前記連通孔を通して流入させた状態から、前記塗布容器を容器軸方向に反転させることで、前記計量室内の余剰な内容物を前記容器本体内に前記連通孔を通して流下させた後、
前記オーバーキャップを前記計量筒部材から離脱させて前記塗布栓を前記計量完了位置に前進させ、前記計量弁により前記容器本体内と前記計量室との連通を遮断させることを特徴とする塗布容器における内容物の計量方法。
【発明の詳細な説明】
【技術分野】
【０００１】
本発明は、塗布容器および塗布容器における内容物の計量方法に関する。
【背景技術】
【０００２】
従来、例えば下記特許文献１に示されるような、人体の頭皮や皮膚等の被塗布部に塗布する薬液等の内容物用の塗布容器が知られている。塗布容器は、内容物が収容される容器本体と、容器本体の口部に装着され、容器本体内に連通する連通孔が形成された中栓部材と、中栓部材との間に、連通孔を通して容器本体内に連通する計量室を形成するとともに、頂部に計量室に連通する吐出孔が形成された計量筒部材と、計量室内に設けられるとともに、先端が吐出孔から計量室の外部に突出する塗布栓と、を備えている。
【先行技術文献】
【特許文献】
【０００３】
【特許文献１】特開２００２−３３７９１０号公報
【発明の概要】
【発明が解決しようとする課題】
【０００４】
しかしながら、前記従来の塗布容器では、計量の操作性に改善の余地がある。
【０００５】
本発明は、このような事情に鑑みてなされたものであって、操作性を向上させることを目的としている。
【課題を解決するための手段】
【０００６】
前記課題を解決するために、本発明は以下の手段を提案している。
本発明に係る塗布容器は、被塗布部に塗布する内容物が収容される容器本体と、前記容器本体の口部に装着され、前記容器本体内に連通する連通孔が形成された中栓部材と、前記中栓部材との間に、前記連通孔を通して前記容器本体内に連通する計量室を形成するとともに、頂部に前記計量室に連通する吐出孔が形成された計量筒部材と、前記計量室内に設けられ、先端が前記吐出孔から外部に突出可能な塗布栓と、前記計量筒部材に着脱自在に装着されて前記吐出孔を閉塞し、前記計量筒部材からの離脱に伴って、前記塗布栓を、容器軸方向に沿う前記計量筒部材の頂部側である前側に移動させるオーバーキャップと、を備え、前記塗布栓には、前記連通孔を通した前記容器本体内と前記計量室との連通およびその遮断を切り替える計量弁が設けられ、前記塗布栓は、前記オーバーキャップが前記計量筒部材に装着された状態で、前記計量弁により前記容器本体内と前記計量室とが連通された計量位置と、前記オーバーキャップが前記計量筒部材から離脱されて前記計量位置よりも前側に位置した状態で、前記計量弁により前記容器本体内と前記計量室との連通が遮断された計量完了位置と、の間を容器軸方向に移動自在に配設され、前記オーバーキャップには、前側を向く接地部が設けられていることを特徴とする。
【０００７】
この場合、計量筒部材に装着され塗布栓を計量位置に位置させているオーバーキャップの接地部を接地させ、容器本体内の内容物を計量室内に連通孔を通して流入させた状態から、塗布容器を容器軸方向に反転させる。これにより、計量室内の余剰な内容物を容器本体内に連通孔を通して流下させることができる。
その後、オーバーキャップを計量筒部材から離脱させて塗布栓を計量完了位置に前進させ、計量弁により容器本体内と計量室との連通を遮断させる。これにより、計量室内から容器本体内への内容物の流出や、容器本体内から計量室内への内容物の流入が規制され、計量室内に内容物が計量される。
以上のように、単に、接地部が接地されていた塗布容器を容器軸方向に反転させた後、オーバーキャップを離脱させることにより、内容物を計量することが可能になり、操作性を向上させることができる。
【０００８】
前記塗布栓を前側に向けて付勢する付勢部材を備え、前記塗布栓には、前記計量室と前記吐出孔との連通およびその遮断を切り替える吐出弁が設けられ、前記計量完了位置として、前記塗布栓が前記付勢部材により前進端にまで前進させられて前記吐出孔から突出し、前記吐出弁により前記計量室と前記吐出孔との連通が遮断された待機位置と、前記待機位置の前記塗布栓が前記付勢部材の付勢力に抗して後退させられ、前記吐出弁により前記計量室と前記吐出孔とが連通された塗布位置と、が設けられていてもよい。
【０００９】
この場合、塗布容器を容器軸方向に反転させた後、オーバーキャップを計量筒部材から離脱させると、塗布栓が付勢部材により前側に向けて付勢されて計量完了位置としての待機位置まで移動する。このとき、吐出弁により計量室と吐出孔との連通が遮断されており、吐出孔からの内容物の吐出が規制されている。
待機位置の塗布栓を被塗布部に押し当てて、計量完了位置としての塗布位置まで後退させると、吐出弁により計量室と吐出孔とが連通され、計量室内の内容物が吐出孔から吐出される。このとき塗布栓は、付勢部材の付勢力に抗して後退させられていることから、塗布栓の被塗布部への押し当てを解除すると、塗布栓は付勢部材の復元力により待機位置まで復元変位する。この場合、吐出孔からの内容物の吐出が再び規制される。
以上のように、オーバーキャップを計量筒部材から離脱させた状態で、塗布栓を被塗布部に押し当てたり、この押し当てを解除したりすることで、吐出弁による計量室と吐出孔との連通およびその遮断を切り替えて、塗布栓が計量完了位置に位置した状態で、吐出孔を開閉させることができる。したがって、例えば、塗布栓の先端を被塗布部に押し当てる回数や押し当て力を調整すること等により、吐出孔を通して計量室から外部へ吐出される内容物の吐出量を調整することができる。
さらに、人体の頭皮や皮膚等の被塗布部に塗布栓を押し当て、内容物を塗布する際に、付勢部材のクッション作用により押し当て時に被塗布部に及ぼされる衝撃や外力等が緩和されて、柔らかな塗布感触を得ることができるとともに、不快さや心地悪さを感じることが抑えられ、快適で心地よい塗布を行うことができる。
【００１０】
本発明に係る塗布容器における内容物の計量方法は、前記塗布容器を用いて、前記計量室内に内容物を計量する方法であって、前記計量筒部材に装着され前記塗布栓を前記計量位置に位置させている前記オーバーキャップの前記接地部を接地させ、前記容器本体内の内容物を前記計量室内に前記連通孔を通して流入させた状態から、前記塗布容器を容器軸方向に反転させることで、前記計量室内の余剰な内容物を前記容器本体内に前記連通孔を通して流下させた後、前記オーバーキャップを前記計量筒部材から離脱させて前記塗布栓を前記計量完了位置に前進させ、前記計量弁により前記容器本体内と前記計量室との連通を遮断させることを特徴とする。
【００１１】
この場合、オーバーキャップの接地部が接地していて計量室内に内容物が流入された状態から、塗布容器を容器軸方向に反転させることで、計量室内の余剰な内容物を容器本体内に流下させた後、オーバーキャップを計量筒部材から離脱させ、計量弁により容器本体内と計量室との連通を遮断させることで、計量室内に内容物を計量する。
以上のように、単に、接地部が接地されていた塗布容器を容器軸方向に反転させた後、オーバーキャップを離脱させることにより、内容物を計量することが可能になり、操作性を向上させることができる。
【発明の効果】
【００１２】
本発明によれば、操作性を向上させることができる。
【図面の簡単な説明】
【００１３】
【図１】本発明の一実施形態に係る塗布容器を正立姿勢にした状態を示す、塗布容器の側面図であって、要部を縦断面視した図である。
【図２】図１に示す塗布容器の要部の縦断面図である。
【図３】図１に示す塗布容器を倒立姿勢にした状態を示す、塗布容器の側面図であって、要部を縦断面視した図である。
【図４】図３に示す塗布容器の要部の縦断面図である。
【図５】図４に示す塗布容器を容器軸方向に反転させた状態を示す、塗布容器の要部の縦断面図である。
【図６】図５に示す塗布容器からオーバーキャップを離脱した状態を示す、塗布容器の要部の縦断面図である。
【図７】図６に示す塗布容器を容器軸方向に反転させた状態を示す、塗布容器の要部の縦断面図である。
【図８】図７に示す塗布容器の塗布栓を被塗布部に押し当てた状態を示す、塗布容器の要部の縦断面図である。
【発明を実施するための形態】
【００１４】
以下、図１から図８を参照し、本発明の一実施形態に係る塗布容器１０について説明する。この塗布容器１０には、例えば人体の頭皮や皮膚等の被塗布部Ａに塗布される育毛剤や薬液等の内容物Ｍが収容される。
図１および図２に示すように、塗布容器１０は、内容物Ｍが収容される容器本体１１と、容器本体１１の口部１１ａに装着された中栓部材１３と、中栓部材１３との間に計量室１４を形成する計量筒部材１５と、計量室１４内に設けられた塗布栓１６と、塗布栓１６を付勢する付勢部材１７と、計量筒部材１５に着脱自在に装着されたオーバーキャップ１８と、を備えている。
【００１５】
ここで、容器本体１１は有底筒状に形成されるとともに、計量筒部材１５およびオーバーキャップ１８は有頂筒状に形成されていて、これらの容器本体１１、計量筒部材１５およびオーバーキャップ１８の中心軸線は、いずれも共通軸上に配置されている。以下では、この共通軸を容器軸Ｏといい、容器軸Ｏ方向に沿って計量筒部材１５の頂部１５ａ側を前側といい、容器本体１１の底部１１ｂ側を後側という。塗布容器１０の平面視において、容器軸Ｏに直交する方向を径方向といい、容器軸Ｏ回りに周回する方向を周方向という。
【００１６】
図２に示すように、中栓部材１３は、容器軸Ｏと同軸に配置された多重筒状に配置されている。中栓部材１３は、外筒部２１と、中間筒部２２と、内筒部２３と、支持筒部２４と、を備えていて、これらの外筒部２１、中間筒部２２、内筒部２３および支持筒部２４が、この順に小径になっている。外筒部２１は、容器本体１１の口部１１ａの開口端縁上に配置される。中間筒部２２は、外筒部２１に径方向の内側から連結していて、口部１１ａ内に液密に嵌合される。
【００１７】
内筒部２３は、中間筒部２２内に挿通されている。内筒部２３の前端部は、中間筒部２２の前端部よりも前側に位置している。内筒部２３の後端部は、中間筒部２２の後端部よりも前側に位置していて、後側に向かうに従い漸次縮径している。内筒部２３は、連結壁部２５を介して中間筒部２２に連結されている。連結壁部２５は、中間筒部２２の前端部と、内筒部２３の容器軸Ｏ方向の中間部と、を連結している。連結壁部２５は、容器軸Ｏと同軸の環状に形成され、径方向の外側から内側に向かうに従い漸次前側に向けて延びている。
【００１８】
支持筒部２４は、有底筒状に形成されていて、支持筒部２４の容器軸Ｏ方向の中間部は、内筒部２３の後端部に連結されている。支持筒部２４の底部には、装着軸部２６が立設されている。装着軸部２６は、容器軸Ｏと同軸に配置され、装着軸部２６の前端部は、連結壁部２５よりも前側に、かつ内筒部２３の前端部よりも後側に位置している。
【００１９】
中栓部材１３には、容器本体１１内に連通する連通孔２７が形成されている。連通孔２７は、内筒部２３、周方向に間隔をあけて複数形成されている。連通孔２７は、内筒部２３において連結壁部２５に連結される容器軸Ｏ方向の中間部から、後側に向けて内筒部２３の後端縁に至るまで延びている。
【００２０】
計量筒部材１５の周壁部１５ｂは、容器軸Ｏと同軸に配置された多段筒状に形成されている。周壁部１５ｂは、装着筒部２８と、本体筒部２９と、を備えていて、これらの装着筒部２８および本体筒部２９が、この順に小径になっている。装着筒部２８は、容器本体１１の口部１１ａおよび中栓部材１３の外筒部２１に一体に嵌合されている。
【００２１】
本体筒部２９は、装着筒部２８に径方向の内側から連結されている。本実施形態では、本体筒部２９における容器軸Ｏ方向の中間部が、装着筒部２８の前端部に連結されていて、本体筒部２９において中間部よりも後側に位置する部分は、外筒部２１の内周面と中間筒部２２の外周面との間に挿入されている。
【００２２】
計量筒部材１５の頂部１５ａは、前側に向けて膨出していて、径方向の外側から内側に向かうに従い漸次前側に向けて延びている。頂部１５ａには、内容物Ｍを吐出する吐出孔３０が形成されている。頂部１５ａには、前側に向けて突出する吐出筒３１が設けられていて、この吐出筒３１の内部が吐出孔３０となっている。吐出孔３０および吐出筒３１は、容器軸Ｏと同軸に配置されている。
【００２３】
計量室１４は、連通孔２７を通して容器本体１１内に連通しており、さらには吐出孔３０にも連通している。計量室１４は、中栓部材１３の連結壁部２５と、計量筒部材１５の頂部１５ａと、の間にわたって容器軸Ｏ方向に延びている。計量室１４は、環状空間１４ａを備えている。環状空間１４ａは、連結壁部２５の前端面と、中栓部材１３の内筒部２３の外周面と、計量筒部材１５の周壁部１５ｂ（本体筒部２９）の内周面と、の間に形成されている。環状空間１４ａは、周方向の全周にわたって延び、上側に向けて開口している。環状空間１４ａの体積は、内容物Ｍの計量を所望する容積（例えば、１．５ｍｌ程度）に設定されている。
【００２４】
塗布栓１６の先端は、吐出孔３０から突出可能とされている。塗布栓１６は、基筒部３２と、塗布部３３と、を備えている。基筒部３２は、容器軸Ｏと同軸に配置された有頂筒状に形成され、基筒部３２の後端部は、中栓部材１３の装着軸部２６の外周面と、支持筒部２４の内周面と、との間に挿通されている。塗布部３３は、基筒部３２の前端面から前側に向けて突出している。塗布部３３は、周方向に間隔をあけて配置された複数の縦リブ部３３ａを備えている。複数の縦リブ部３３ａは、容器軸Ｏ方向から見た平面視において、容器軸Ｏを中心として放射状に延びている。周方向に隣り合う縦リブ部３３ａ同士の間には、計量室１４内に連通する連通路３３ｂが設けられている。
【００２５】
塗布栓１６には、計量弁３４と、吐出弁３５と、が設けられている。
計量弁３４は、連通孔２７を通した容器本体１１内と計量室１４との連通およびその遮断を切り替える。計量弁３４は、中栓部材１３の支持筒部２４内に配置されている。計量弁３４は、塗布栓１６の基筒部３２から径方向の外側に向けて突出する環状に形成されている。計量弁３４は、径方向の内側から外側に向けて漸次後側に向けて延びている。計量弁３４は、支持筒部２４内に液密に嵌合されており、支持筒部２４の内周面上を、容器軸Ｏ方向に摺動自在に嵌合されている。
【００２６】
吐出弁３５は、計量室１４と吐出孔３０との連通およびその遮断を切り替える。吐出弁３５は、計量弁３４よりも前側に位置し、計量室１４内に配置されている。吐出弁３５は、塗布栓１６の基筒部３２から径方向の外側に向けて突出する環状に形成されている。吐出弁３５は、径方向の内側から外側に向けて漸次前側に向けて延びている。
【００２７】
付勢部材１７は、塗布栓１６を前側に向けて付勢する。付勢部材１７は、塗布栓１６の基筒部３２内に配置され、中栓部材１３の装着軸部２６と、基筒部３２の頂部と、の間に容器軸Ｏ方向に挟持されている。
オーバーキャップ１８は、計量筒部材１５の本体筒部２９に径方向の外側から嵌合されていて、吐出孔３０を閉塞している。オーバーキャップ１８には、閉塞栓３６と、押下部３７と、嵌合筒部３８と、接地部３９と、が設けられている。
【００２８】
閉塞栓３６、押下部３７および嵌合筒部３８は、容器軸Ｏと同軸に配置され、オーバーキャップ１８の頂部１８ａから後側に向けて突出している。閉塞栓３６は、筒状に形成され、吐出孔３０内に着脱自在に液密に嵌合されている。押下部３７は、閉塞栓３６と同軸の棒状に形成され、塗布栓１６の先端（塗布部３３）を後側に向けて押し込んでいて、付勢部材１７を容器軸Ｏ方向に弾性的に圧縮変形させている。押下部３７は、閉塞栓３６とは独立して設けられ、押下部３７の後端面は、閉塞栓３６の後端面と容器軸Ｏ方向に同等の位置に配置されている。嵌合筒部３８は、吐出筒３１に径方向の外側から着脱自在に嵌合されている。
【００２９】
接地部３９は、前側を向いている。接地部３９は、容器軸Ｏと同軸の筒状に形成されていて、オーバーキャップ１８の外周面から前側に向けて延びている。接地部３９の前端面は、オーバーキャップ１８の前端面よりも前側に位置している。接地部３９は、後側に位置する拡径部３９ａと、前側に位置するベース部３９ｂと、を備えている。拡径部３９ａは、後側から前側に向かうに従い漸次拡径している。拡径部３９ａは、容器軸Ｏ方向の縦断面視において後側に向けて突となる曲線状に形成されている。ベース部３９ｂは、容器軸Ｏ方向の全長にわたって同径とされている。
【００３０】
図３および図４に示すように、接地部３９は、塗布容器１０を倒立姿勢にした状態で接地し、塗布容器１０を倒立姿勢に保持可能に形成されている。図１に示すような正立姿勢の塗布容器１０では、前側が鉛直上側を向き、後側が鉛直下側を向くのに対し、図３に示すような倒立姿勢の塗布容器１０では、前側が鉛直下側を向き、後側が鉛直上側を向く。図示の例では、接地部３９のベース部３９ｂが平面状の載置面に接地したときに、オーバーキャップ１８の前端面は載置面から鉛直上側に離間する。
【００３１】
図４に示すように、塗布栓１６は、オーバーキャップ１８が計量筒部材１５に装着された状態で計量位置Ｐ１に位置している。塗布栓１６が計量位置Ｐ１に位置するときには、計量弁３４により容器本体１１内と計量室１４とが連通され、かつ、オーバーキャップ１８により吐出孔３０が閉塞されている。このとき、塗布栓１６の計量弁３４は、内筒部２３において連通孔２７が形成されている部分（以下、「孔形成部分」という。）内に嵌合されている。またこのとき、塗布栓１６の吐出弁３５は、計量筒部材１５の頂部１５ａから後側に離間しており、頂部１５ａに対して着座可能に対向している。
【００３２】
次に、塗布容器１０の使用方法（塗布容器１０における内容物Ｍの計量方法）について説明する。
【００３３】
使用を開始する前、オーバーキャップ１８の接地部３９を接地させ、塗布容器１０を反転姿勢に保持しておくと、容器本体１１内の内容物Ｍが、連通孔２７を通して計量室１４内に流入される。
使用に際しては、まず図５に示すように、塗布容器１０を容器軸Ｏ方向に反転させる。これにより、計量室１４内の余剰な内容物Ｍが容器本体１１内に連通孔２７を通して流下され、計量室１４の環状空間１４ａ内に、所望の量（体積）の内容物Ｍが貯留される。
【００３４】
その後、図６に示すように、オーバーキャップ１８を計量筒部材１５から離脱させる。ここでオーバーキャップ１８は、計量筒部材１５からの離脱に伴って塗布栓１６を前進させる。本実施形態では、オーバーキャップ１８が計量筒部材１５から離脱されると、オーバーキャップ１８の押下部３７による塗布栓１６の押下が解除され、付勢部材１７が塗布栓１６を前進させる。これにより、塗布栓１６は、計量位置Ｐ１よりも前側に位置する計量完了位置Ｐ２に移動する。
【００３５】
塗布栓１６が計量完了位置Ｐ２に位置するときには、計量弁３４により容器本体１１内と計量室１４との連通が遮断されている。このとき、塗布栓１６の計量弁３４は、内筒部２３の前記孔形成部分よりも前側に位置する部分内に液密に嵌合されている。これにより、計量室１４内から容器本体１１内への内容物Ｍの流出や、容器本体１１内から計量室１４内への内容物Ｍの流入が規制され、計量室１４内に内容物Ｍが計量される。
【００３６】
ここで本実施形態では、塗布栓１６が付勢部材１７により前進端にまで前進させられることで、塗布栓１６は、計量完了位置Ｐ２としての待機位置Ｐ２１に移動する。塗布栓１６が待機位置Ｐ２１に位置するときには、塗布栓１６は吐出孔３０から突出しており、かつ、吐出弁３５により計量室１４と吐出孔３０との連通が遮断される。このとき吐出弁３５は、計量筒部材１５の頂部１５ａに、周方向の全周にわたって液密に圧接している。図示の例では、吐出弁３５が計量筒部材１５に圧接することで、塗布栓１６の更なる前進が規制される。
【００３７】
図７に示すように、塗布栓１６が待機位置Ｐ２１に位置する状態で、塗布容器１０を容器軸Ｏ方向に反転させると、容器本体１１内から計量室１４への内容物Ｍの流入は、計量弁３４により規制され、また、計量室１４内の内容物Ｍの吐出孔３０からの吐出は、吐出弁３５により規制される。
【００３８】
そこで図８に示すように、待機位置Ｐ２１の塗布栓１６を被塗布部Ａに押し当て、塗布栓１６を、計量完了位置Ｐ２としての塗布位置Ｐ２２まで後退させる。塗布栓１６が待機位置Ｐ２１に位置するときには、計量弁３４により容器本体１１内と計量室１４との連通が遮断された状態が確保されつつ、吐出弁３５により計量室１４と吐出孔３０とが連通されている。これにより、計量室１４内の内容物Ｍが、例えば塗布栓１６の連通路３３ｂを流通する等して、吐出孔３０から吐出される。
【００３９】
塗布栓１６を待機位置Ｐ２１から塗布位置Ｐ２２に後退させるときには、塗布栓１６は付勢部材１７の付勢力に抗して後退させられる。そのため、塗布栓１６の被塗布部Ａへの押し当てを解除すると、塗布栓１６は付勢部材１７の復元力により待機位置Ｐ２１に復元変位する。この場合、吐出孔３０からの内容物Ｍの吐出が再び規制される。
【００４０】
以上説明したように、本実施形態に係る塗布容器１０によれば、単に、接地部３９が接地されていた塗布容器１０を容器軸Ｏ方向に反転させた後、オーバーキャップ１８を離脱させることにより、内容物Ｍを計量することが可能になり、操作性を向上させることができる。
【００４１】
また、オーバーキャップ１８を計量筒部材１５から離脱させた状態で、塗布栓１６を被塗布部Ａに押し当てたり、この押し当てを解除したりすることで、吐出弁３５による計量室１４と吐出孔３０との連通およびその遮断を切り替えて、塗布栓１６が計量完了位置Ｐ２に位置した状態で、吐出孔３０を開閉させることができる。したがって、例えば、塗布栓１６の先端を被塗布部Ａに押し当てる回数や押し当て力を調整すること等により、吐出孔３０を通して計量室１４から外部へ吐出される内容物Ｍの吐出量を調整することができる。
【００４２】
さらに、人体の頭皮や皮膚等の被塗布部Ａに塗布栓１６を押し当て、内容物Ｍを塗布する際に、付勢部材１７のクッション作用により押し当て時に被塗布部Ａに及ぼされる衝撃や外力等が緩和されて、柔らかな塗布感触を得ることができるとともに、不快さや心地悪さを感じることが抑えられ、快適で心地よい塗布を行うことができる。
【００４３】
なお、本発明の技術的範囲は前記実施形態に限定されるものではなく、本発明の趣旨を逸脱しない範囲において種々の変更を加えることが可能である。
【００４４】
オーバーキャップ１８だけでなく、容器本体１１の底部１１ｂにも接地部を設け、塗布容器１０の輸送時や販売時などにおいて、塗布容器１０を正立姿勢で保管することも可能である。
【００４５】
付勢部材１７はなくてもよい。この場合、オーバーキャップ１８に、塗布栓１６に係脱自在に係合される引き上げ部を更に設け、オーバーキャップ１８が計量筒部材１５から離脱するときに、引き上げ部が塗布栓１６に係合して塗布栓１６を前進させることで、計量弁３４により容器本体１１内と計量室１４との連通を遮断させることも可能である。
【００４６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４７】
１０   塗布容器
１１   容器本体
１１ａ 口部
１１ｂ 底部
１３   中栓部材
１４   計量室
１５   計量筒部材
１５ａ 頂部
１６   塗布栓
１７   付勢部材
１８   オーバーキャップ
２７   連通孔
３０   吐出孔
３４   計量弁
３５   吐出弁
３９   接地部
Ａ     被塗布部
Ｍ     内容物
Ｏ     容器軸
Ｐ１   計量位置
Ｐ２   計量完了位置
Ｐ２１ 待機位置
Ｐ２２ 塗布位置
【図１】
2016141426.tif 000003
【図２】
2016141426.tif 000004
【図３】
2016141426.tif 000005
【図４】
2016141426.tif 000006
【図５】
2016141426.tif 000007
【図６】
2016141426.tif 000008
【図７】
2016141426.tif 000009
【図８】
2016141426.tif 000010